(57)【要約】【課題】グラウンドアンカーを緊張状態に固定する固定装置において、例えばメンテナンス等を行う際にグラウンドアンカーの緊張状態を容易に解除できるようにする。【解決手段】地中等に埋設したアンカー頭部のテンドン余長部をアンカーヘッドに抜け止め係止すると共に、そのアンカーヘッドを地表面側に設置した支圧板上に載置してアンカーテンドンを緊張状態に保持するグラウンドアンカー定着頭部構造において、  上記アンカーヘッドを、上部に上方に向かって先広がりのテーパ状の拡開部を有するセンターヘッドと、そのセンターヘッドの上部拡開部に密着嵌合するテーパ状の嵌合孔を有するリングヘッドと、上記リングヘッドと支圧板との間に介在される全体略環状で周方向に複数に分割された間隔保持部材とで構成し、上記センターヘッドとリングヘッドとの間にテンドン余長部を狭持するようにしたことを特徴とする。【選択図】図１
2009102928.tif 000002
【特許請求の範囲】
【請求項１】
地中等に埋設したアンカー頭部のテンドン余長部をアンカーヘッドに抜け止め係止すると共に、そのアンカーヘッドを地表面側に設置した支圧板上に載置してアンカーテンドンを緊張状態に保持するグラウンドアンカー定着頭部構造において、
上記アンカーヘッドを、上部に上方に向かって先広がりのテーパ状の拡開部を有するセンターヘッドと、そのセンターヘッドの上部拡開部に密着嵌合するテーパ状の嵌合孔を有するリングヘッドと、上記リングヘッドと支圧板との間に介在される全体略環状で周方向に複数に分割された間隔保持部材とで構成し、上記センターヘッドとリングヘッドとの間にテンドン余長部を狭持するようにしたことを特徴とするグラウンドアンカー定着頭部構造。
【請求項２】
上記センターヘッドとリングヘッドとの間に定着くさびを介在させ、その定着くさびを介して上記テンドン余長部を狭持するようにした請求項１に記載のグラウンドアンカー定着頭部構造。
【請求項３】
上記センターヘッドとリングヘッドとの間に上記テンドン余長部を直接挟んで狭持するようにした請求項１に記載のグラウンドアンカー定着頭部構造。
【請求項４】
上記センターヘッドの下面にピン挿通用の凹部を形成すると共に、その凹部内に挿通して上記センターヘッドの下降移動を阻止する係止ピンを備えた請求項１〜３のいずれかに記載のグラウンドアンカー定着頭部構造。
【請求項５】
上記請求項１〜４のいずれかに記載のグラウンドアンカー定着頭部構造により緊張状態に保持したアンカーテンドンの緊張状態を解除するグラウンドアンカー緊張解除方法であって、上記センターヘッドとリングヘッドとの間に狭持したテンドン余長部を、ジャッキ装置等により延長方向に引っ張って上記アンカーヘッドに掛かっている引っ張り荷重を軽減もしくは緩和し、その状態で上記間隔保持部材を外方に引き抜いて上記センターヘッドとリングヘッドとの間に狭持したテンドン余長部を緩めてアンカーテンドンの緊張状態を解除することを特徴とするグラウンドアンカー緊張解除方法。
【発明の詳細な説明】
【技術分野】
【０００１】
本発明は、例えば山留め工事や斜面安定工事もしくは各種構造体の安定工事等に用いられるＰＣ鋼より線等からなるアンカーテンドンを緊張状態に保持するグラウンドアンカー定着頭部構造およびその定着頭部構造で緊張状態に保持したグラウンドアンカーのメンテナンス等の際にアンカーテンドンの緊張状態を解除するためのグラウンドアンカー緊張解除方法に関する。
【背景技術】
【０００２】
従来たとえば山留め工事等においては、地中等に形成した削孔内にグラウンドアンカー用のアンカーテンドンを挿入してグラウト材で固定し、そのアンカーテンドンにジャッキ装置等によって緊張力を付与した状態で、アンカー頭部のテンドン余長部をアンカーヘッドに抜け止め係止すると共に、上記アンカーヘッドを上記地表面側に設置した支圧板上に載置して、上記アンカーテンドンの緊張力で上記の工事箇所を補強することが行われている。
【０００３】
この場合、上記アンカーヘッドに挿通したアンカーテンドンを抜け止め係止する手段としては、一般に中央部にアンカー挿通孔を有する全体略円錐台形で周方向に複数個に分割された定着くさびを用いるのが一般的であり、その定着くさびを、上記アンカーヘッドに挿通したアンカーテンドンの周囲に配置した状態で、アンカーヘッドに形成したくさび係合孔内に挿入することによって、上記アンカーテンドンをアンカーヘッドに抜け止め係止する構成である。
【０００４】
ところで、上記のようなグラウンドアンカーの各部のメンテナンスや補修等を行うために上記アンカーテンドンの緊張状態を解除する必要がある場合には、例えば下記特許文献１においては、アンカーテンドン（アンカーケーブル）に、カプラーを接続して除荷用くさびで抜け止め係止すると共に、そのカプラーを介して上記アンカーテンドンをジャッキ装置等で引き上げることによって、定着くさびを緩めて離脱させ、それによってアンカーテンドンの緊張状態を解除するようにしている。
【０００５】
しかしながら、上記のような構成のものにあっては、緊張状態にあるアンカーテンドンを、その張力に加えてさらに張力をかける形で引き上げなれれば緊張状態を解除することができず、特に定着くさびを用いるものにあっては、くさびを取り除く作業を行うためには、定着時に作用している荷重以上で、かつ、くさびを浮き上がらせた状態にするためには、約1ｃｍ以上引き上げる必要がある。
【０００６】
また、上記のような除荷用くさびを用いるものは、定着くさびを取外した後に、除荷用くさびを取外す必要があり、上記特許文献１においては、除荷用くさびの先端部をカプラーから僅かに突出させると共に、上記定着くさびを取外した後に、上記カプラーとアンカーヘッドとの間に板状のシャッターを介在させるとことによって、除荷用くさびをカプラーから引き抜き除去するようにしているが、複数本のアンカーテンドン毎にシャッターを挿入しなければならないので操作が煩雑で作業性が悪い等の不具合がある。
【０００７】
【特許文献１】特許第３６５７５６７号公報
【発明の開示】
【発明が解決しようとする課題】
【０００８】
本発明は上記従来の問題点に鑑みて提案されたもので、例えばメンテナンスや補修等を行う際にアンカーテンドンの緊張状態を簡単・確実に解除することのできるグラウンドアンカー定着頭部構造および緊張解除方法を提供することを目的とする。
【課題を解決するための手段】
【０００９】
上記の目的を達成するために本発明によるグラウンドアンカー定着頭部構造および緊張解除方法は、以下の構成としたものである。すなわち、本発明によるグラウンドアンカー定着頭部構造は、地中等に埋設したアンカー頭部のテンドン余長部をアンカーヘッドに抜け止め係止すると共に、そのアンカーヘッドを地表面側に設置した支圧板上に載置して上記グラウンドアンカーを緊張状態に保持するグラウンドアンカー定着頭部構造において、上記アンカーヘッドを、上部に上方に向かって先広がりのテーパ状の拡開部を有するセンターヘッドと、そのセンターヘッドの上部拡開部に密着嵌合するテーパ状の嵌合孔を有するリングヘッドと、上記リングヘッドと支圧板との間に介在される全体略環状で周方向に複数に分割された間隔保持部材とで構成し、上記センターヘッドとリングヘッドとの間に上記グラウンドアンカーのテンドン余長部を狭持するようにしたことを特徴とする。
【００１０】
また本発明によるグラウンドアンカー緊張解除方法は、上記のようなグラウンドアンカー定着頭部構造により緊張状態に保持したアンカーテンドンの緊張状態を解除するグラウンドアンカー緊張解除方法であって、上記センターヘッドとリングヘッドとの間に狭持したテンドン余長部を、ジャッキ装置等により延長方向に引っ張って上記アンカーヘッドに掛かっている引っ張り荷重を軽減もしくは緩和し、その状態で上記間隔保持部材を外方に引き抜いて上記センターヘッドとリングヘッドとの間に狭持したテンドン余長部を緩めてアンカーテンドンの緊張状態を解除することを特徴とする。
【発明の効果】
【００１１】
上記のように本発明によるグラウンドアンカー定着頭部構造は、アンカーヘッドを、上部に上方に向かって先広がりのテーパ状の拡開部を有するセンターヘッドと、そのセンターヘッドの上部拡開部に密着嵌合するテーパ孔を有するほぼ筒状のリングヘッドとで構成すると共に、上記リングヘッドと支圧板との間に周方向に複数に分割した間隔保持部材を介在させるようにしたことによって、グラウンドアンカー施工時はアンカー頭部のテンドン余長部をセンターヘッドとリングヘッドとの間に狭持することでアンカーテンドンを良好に緊張状態させた状態に保持することができると共に、メンテナンス等の際には、アンカーヘッドに掛かる荷重を軽減もしくは緩和した状態で間隔保持部材を外方に引き抜くことによって、センターヘッドとリングヘッドとの間に狭持したテンドン余長部を緩めてアンカーテンドンの緊張状態を容易に解除することが可能となる。
【００１２】
また本発明によるグラウンドアンカー緊張解除方法は、上記のようにセンターヘッドとリングヘッドとの間に狭持したテンドン余長部を、ジャッキ装置等により延長方向に引っ張ってアンカーヘッドに掛かっている引っ張り荷重を軽減もしくは緩和し、その状態で上記間隔保持部材を外方に引き抜いて上記センターヘッドとリングヘッドとの間に狭持したテンドン余長部を緩めてアンカーテンドンの緊張状態を解除するようにしたから、アンカーテンドンによってアンカーヘッドに掛かっている引っ張り荷重が、上記間隔保持部材を外方に引き抜き可能な程度に軽減もしくは緩和でればよいので、上記の緊張解除作業を極めて容易に行うことが可能となる。
【発明を実施するための最良の形態】
【００１３】
以下、本発明を図に示す実施形態に基づいて具体的に説明する。図１（ａ）は本発明によるグラウンドアンカー定着頭部構造の一実施形態を示す平面図、同図（ｂ）は正面図、図２（ａ）は上記定着頭部構造の縦断面図、同図（ｂ）は（ａ）におけるｂ−ｂ断面図である。
【００１４】
図に示す実施形態は、地中Ｅ等に形成したアンカー孔ｈ内に複数本（図の場合は６本）のＰＣ鋼より線等よりなるアンカーテンドン１を挿入して図に省略したグラウト材等で定着固定し、その各アンカーテンドン１の地表面側の端部をアンカーヘッド２に抜け止め係止させると共に、そのアンカーヘッド２を地表面側に設置した支圧板３上に載置することによって、上記各アンカーテンドン１を所定の張力で緊張させた状態に保持させた構成である。
【００１５】
上記アンカーヘッド２は、図３に示すように、上部に上方に向かって先広がりのテーパ状の拡開部２１ａを有するセンターヘッド２１と、そのセンターヘッド２１の上部拡開部２１ａに密着嵌合するテーパ状の嵌合孔２２ａを有する略筒状のリングヘッド２２と、上記リングヘッド２２と前記支圧板３との間に介在される全体略環状で周方向に複数個（図の場合は２つ）に分割された間隔保持部材２３とからなる。
【００１６】
上記各アンカーテンドン１は、センターヘッド２１とリングヘッド２２および間隔保持部材２３との境界部に形成したアンカー挿通孔２１ｂ、２２ｂ、２３ｂに挿通すると共に、上記センターヘッド２１とリングヘッド２２との間に介在させた定着くさび４によって抜け止め係止するようにしたものである。
【００１７】
その定着くさび４は、図示例においては、中央部にアンカー挿通孔４ａを有する全体略円錐台形で周方向に複数個（図の場合は２つ）に分割した構成であり、その定着くさび４は、上記センターヘッド２１とリングヘッド２２との境界部に形成したくさび係合孔２１ｃ・２２ｃ内に収容配置されている。その各くさび係合孔２１ｃ・２２ｃは前記のアンカー挿通孔２１ｂ、２２ｂに連続して設けられている。図中、２２ｄ、２１ｄはセンターヘッド２１とリングヘッド２２との周方向のずれを防止するための位置決め用の凹凸条である。
【００１８】
前記支圧板３は、本実施形態においては、図３に示すように平面方形に形成され、その中央部にアンカーテンドン１を挿通するための円形のアンカー挿通孔３ａが設けられている。
【００１９】
上記のように構成されたグラウンドアンカー定着頭部構造によってアンカー頭部を定着する場合には、例えば前記のようにアンカー孔ｈ内にグラウト材等で定着固定された各アンカーテンドン１の地表面側の端部を、その地表面に設置した支圧板３のアンカー挿通孔３ａに挿通すると共に、センターヘッド２１とリングヘッド２２および間隔保持部材２３とからなるアンカーヘッド２のアンカー挿通孔２１ｂ、２２ｂ、２３ｂに挿通する。次いで、上記各アンカーテンドン１の端部をジャッキ装置等で引っ張って所定の張力を付加した状態で、各アンカーテンドン１の周囲に配置した定着くさび４をくさび係合孔２１ｃ・２２ｃ内に配置して上記ジャッキ装置等による引っ張り力を解除すれば上記定着くさび４が各アンカーテンドン１の周面に密着して、各アンカーテンドン１が抜け止め係止されると共に、それらのアンカーテンドン１に所定の張力が付与された状態に保持されるものである。
【００２０】
上記のようにしてグラウンドアンカー定着頭部構造によって所定の張力で緊張状態に保持されたアンカー各部のメンテナンスや補修等を行うためにアンカーテンドン１の緊張状態を解除する場合には、上記アンカーヘッド２よりも上方に突出するアンカーテンドン１の余長部１ａを保持する適宜のクランプ機構等を有するジャッキ装置などを用いるもので、図４はそのジャッキ装置の一例を示すものである。
【００２１】
すなわち、図４に示すジャッキ装置５は、ジャッキチェア５１の上部にジャッキ本体５０を一体的に設けたもので、そのジャッキ本体５０として本例においてはセンターホール型のジャッキが用いられ、そのジャッキ本体５０に連結したテンションバー５２の下端部に連結部材５３を介して筒体５４が取付けられ、その筒体５４の下部に連結ヘッド６が一体的に設けられている。
【００２２】
上記連結ヘッド６には前記各アンカーテンドン１の余長部１ａをそれぞれ挿通して抜け止め係止する除荷用くさび７が設けられ、それらは連結ヘッド６に形成したくさび係合孔６ｃ内に収容配置されている。その除荷用くさび７も本例においては前記定着くさび４と同様に中央部にアンカー挿通孔７ａを有する全体略円錐台形に形成すると共に周方向に複数個（図の場合は２つ）に分割されている。
【００２３】
上記ジャッキチェア５１は、その下端部５１ａを前記支圧板３上に載置する構成であり、その下端部５１ａは、その下面側および図４（ａ）で左右両側面が開口した側面略コ字形（図４（ｂ）参照）に形成されている。図中、５１ｂは上記ジャッキ本体５０とともにジャッキチェア５１を持ち運んだり定位置に固定する際の取っ手である。
【００２４】
上記のジャッキ装置５を用いてアンカーヘッド２に掛かる張力を緩めるに当たっては、図４および図５（ａ）に示すように緊張状態にある前記各アンカーテンドン１の余長部１ａを上記連結ヘッド６に挿通して除荷用くさび７で抜け止め係止する。その状態で、上記ジャッキ本体５０によりテンションバー５２を介して連結ヘッド６とともにアンカーテンドン１に引っ張り力を加え、これによりアンカーヘッド２に掛かる張力を緩和し、該アンカーヘッド２にはアンカーテンドン１の張力が殆ど掛からない状態となったところで、図５（ｂ）のように間隔保持部材２３を外方に引き抜く。
【００２５】
すると、アンカーヘッド２のセンターヘッド２１は図３に示すように上部に先広がりのテーパ状の拡開部２１ａがあるので、該センターヘッド２１はリングヘッド２２よりも下方に移動することはないが、リングヘッド２２の下側には、その支えとなっていた間隔保持部材２３が無くなって何ら支えがなくなるので、そのリングヘッド２２は通常図５（ｂ）のようにセンターヘッド２１よりも下方に移動する。それによって、くさび係合孔２１ｂ、２２ｂがずれて定着くさび４が緩む。
【００２６】
そして、その状態もしくは必要に応じて定着くさび４を取り除いた状態でセンターヘッド２１およびリングヘッド２２を自重で下降させると、リングヘッド２２は図６（ａ）のように支圧板３上に載置した状態となり、センターヘッド２１は、その上部のテーパ状の拡開部２１ａがリングヘッド２２のテーパ状の嵌合孔２２ａに密着嵌合して図の位置に保持される。その状態で、ジャッキ装置５によるテンドン余長部１ａの上方への引っ張り力を徐々に弱めると、アンカーテンドン１の張力によって連結ヘッド６がテンションバー５２や筒体５４等とともに下降する。そして、アンカーテンドン１の張力が無くなるまで連結ヘッド６が下降すると、その連結ヘッド６の下面は通常図６（ａ）のようにセンターヘッド２１の上面よりも上方に位置した状態で停止する。
【００２７】
その状態で、前記ジャッキ装置５を作動してテンションバー５２および筒体５４等を介して連結ヘッド６を図６（ｂ）のように下降させると、除荷用くさび７が緩んでテンドン余長部１ａの係止状態が解除される。その後は上記の状態もしくは必要に応じて除荷用くさび７を除去した状態で、上記ジャッキ本体５０によりテンションバー５２を上昇させて連結ヘッド６を引き上げ、ジャッキ装置５を除去すれば、アンカーテンドン１の緊張状態を完全に開放することができるものである。
【００２８】
なお、上記図６（ａ）において、ジャッキ装置５によるテンドン余長部１ａの上方への引っ張り力を除去してアンカーテンドン１の張力で連結ヘッド６が下降したとき、その連結ヘッド６の下面がセンターヘッド２１やリングヘッド２２の上面に当接してしまうと、連結ヘッド６をそれ以上下降させることができないので、除荷用くさび７を緩めることができないおそれがある。
【００２９】
そのようなおそれがある場合には、図７に示すように連結ヘッド６も、上方に向かって先広がりのテーパ状の拡開部６１ａを有するセンターヘッド６１と、そのセンターヘッド６１の上部拡開部６１ａに密着嵌合するテーパ状の嵌合孔６２ａを有する略筒状のリングヘッド６２とで構成すると共に、図８のように前記アンカーヘッド２のセンターヘッド２１の上面、若しくは上記センターヘッド６１の下面に、それらと一体もしくは別体の押圧部材８を設けるようにすればよい。図７において、６１ｃ、６２ｃはセンターヘッド６１とリングヘッド６２との嵌合部（境界部）に形成した除荷用くさび７の係合孔、６１ｄ、６２ｄはセンターヘッド６１とリングヘッド６２との位置決め用の突条および凹溝条である。
【００３０】
上記の構成において、前記図５と同様にグラウンドアンカーの各アンカーテンドン１に引っ張り力を付与する際には、図８（ａ）のように緊張状態にある各アンカーテンドン１の余長部１ａを連結ヘッド６に挿通して除荷用くさび７で抜け止め係止し、ジャッキ本体５０によりテンションバー５２を上昇させて連結ヘッド６とともにテンドン余長部１ａを上方に引っ張ってアンカーヘッド２に掛かる力を軽減して間隔保持部材２３を前記と同様に外方に引き抜く。
【００３１】
すると、リングヘッド２２は前記と同様に図８（ａ）のようにセンターヘッド２１よりも下方に移動し、それによって、くさび係合孔２１ｂ、２２ｂがずれて定着くさび４が緩む。次いで、その状態もしくは必要に応じて定着くさび４を取り除いた状態で、ジャッキ装置５によるテンドン余長部１ａの上方への引っ張り力を徐々に弱めると、それよりも前もしくはその際に、センターヘッド２１とリングヘッド２２が下降すると共に、連結ヘッド６がテンションバー５２や筒体５４等とともに下降する。
【００３２】
その際、リングヘッド２２は図８（ｂ）のように支圧板３の上面に当接して、それよりも下方への下降移動が阻止され、そのリングヘッド２２にテーパ状の拡開部２１ａで密着嵌合するセンターヘッド２１は、その上面がリングヘッド２２の上面とほぼ同一高さになった状態で停止する。次いで、その上方に下降してきた連結ヘッド６は、その中央部のセンタヘッド６１が、センターヘッド２１の上面に設けた押圧部材８の上面に当接して、その位置で停止し、連結ヘッド６のリングヘッド６２は引き続き下降して上記センタヘッド６１との間にずれが生じ、除荷用くさび７が緩んでテンドン余長部１ａの抜け止め係止状態が自動的に解除される。その後は前記と同様に上記の状態もしくは必要に応じて除荷用くさび７を除去した状態で、上記ジャッキ本体５０によりテンションバー５２を上昇させて連結ヘッド６を引き上げ、ジャッキ装置５を除去すれば、各アンカーテンドン１の張力を完全に開放することができる。
【００３３】
従って、上記各アンカーテンドン１を緊張状態に保持した状態で、アンカーヘッド２からのテンドン余長部１ａの突出量が少ない場合や、各アンカーテンドン１の緊張状態を緩和したときの縮み量が大きいことが想定される場合でも良好に緊張状態を緩和して張力を開放することができるものである
【００３４】
なお、前記図５（ｂ）および図８（ａ）において、間隔保持部材２３を外方に引き抜いた際に、リングヘッド２２が自重で図のように下降せず、またリングヘッド２２を手等で強制的に下降させようとしても、リングヘッド２２のみが下降することなく、センターヘッド２１と定着くさび４とが一緒に下降してしまうような場合には、センターヘッド２１の下降を阻止する手段を設けるようにしてもよい。
【００３５】
図９および図１０はその一例を示すもので、センターヘッド２１の下面にピン挿通用の凹部２１ｅを形成すると共に、その凹部２１ｅ内に挿通され前記支圧板３のアンカー挿通孔３ａを跨ぐようにして配置される係止ピン９を設けたものである。図中、２１ｆ、２３ｆは上記センターヘッド２１および間隔保持部材２３の下面に設けた点検用の窓で、センターヘッド２１の窓２１ｆは上記凹部２１ｅをも貫通するようにして設けられている。上記の窓２１ｆ、２３ｆは必要に応じて設けることができる。
【００３６】
上記の構成において、図１０（ａ）の鎖線示のように間隔保持部材２３を外方に引き抜いたとき、リングヘッド２２が自重で下降せず、またリングヘッド２２を手等で強制的に下降させようとすると、センターヘッド２１も下降してしまうような場合には、上記支圧板３のアンカー挿通孔３ａを跨ぐようにして上記凹部２１ｅ内に係止ピン９を図のように配置すればよく、そのようにすると、リングヘッド２２を手等で強制的に下降させても、センターヘッド２１が下降することなく、両者２１・２２を容易にずらすことができる。それによって定着くさび４を容易に緩めることができるものである。
【００３７】
その後は、上記係止ピン９を引き抜くと共に、前記図６および図８（ｂ）と同様に必要に応じて定着くさび４を除去した状態で、ジャッキ装置５によるテンドン余長部１ａの上方への引っ張り力を徐々に弱めると、図１０（ｂ）のようにセンターヘッド２１とリングヘッド２２が下降すると共に、連結ヘッド６がテンションバー５２や筒体５４等とともに下降する。それによって前記と同様に除荷用くさび７が緩んでテンドン余長部１ａの抜け止め係止状態が自動的に解除され、アンカーテンドン１の緊張状態が解除されるものである。
【００３８】
なお、センターヘッド２１および間隔保持部材２３の下面には、前述のように必要に応じて点検用の窓２１ｆ、２３ｆを設けるとよく、その窓２１ｆ、２３ｆの形状や大きさを変えることで、従来は点検管理時に不可能であったアンカーヘッド内部の目視点検用の小窓としても活用することができる。それによって、アンカーヘッド２を外すことなく、支圧板３内や、アンカーヘッド内部の裏面のアンカーテンドン１の錆の発生状況などを直接目視で点検することができる。また、例えばファイバースコープなどを用いれば、通常では見られないアンカー孔ｈ内部の観察や点検も可能となる。
【００３９】
また前記間隔保持部材２３に必要に応じてひずみゲージを埋め込むようにしてもよく、そのようにすると、上記間隔保持部材２３にかかる荷重管理が容易となり、上記間隔保持部材２３を最適時に容易に引き抜くことが可能となる。また、ひずみゲージの寿命がきた場合でも、間隔保持部材２３が複数（図の場合は２つ）に分割されているので、これまでのようにくさびを解除してアンカーヘッド２を外し、ロードセルを外す手間を削減することができる。
【００４０】
上記実施形態は、アンカーテンドン１をアンカーヘッド２に抜け止め係止する手段として定着くさび４を用いるものを例示したが、定着くさび４を用いることなく、例えばセンターヘッド２１とリングヘッド２２および間隔保持部材２３との間にアンカーテンドン１を挟み込むようにしてもよい。
【００４１】
図１１および図１３はその一例を示すもので、本例は前記図３と同様にアンカーヘッド２を、上部に上方に向かって先広がりのテーパ状の拡開部２１ａを有するセンターヘッド２１と、そのセンターヘッド２１の上部拡開部２１ａに密着嵌合するテーパ状の嵌合孔２２ａを有する略筒状のリングヘッド２２と、そのリングヘッド２２と支圧板３との間に介在される全体略環状で周方向に複数個（図の場合は２つ）に分割された間隔保持部材２３とで構成し、そのセンターヘッド２１とリングヘッド２２および間隔保持部材２３との間に、アンカーテンドン１を挿通するアンカー挿通孔２１ｂ、２２ｂ、２３ｂを周方向に複数個（図の場合はそれぞれ６つ）設けたものである。
【００４２】
その各アンカー挿通孔は、センターヘッド２１とリングヘッド２２および間隔保持部材２３とにそれぞれ形成した断面略半円弧状の挿通孔２１ｂ、２２ｂ、２３ｂを向かい合わせることによって断面略円形となるように構成されている。また上記各アンカー挿通孔は、上記テーパ状の拡開部２１ａおよび嵌合孔２２ａに沿う傾斜部と、その下側のほぼ垂直な部分とで、それぞれ「く」字状に屈曲形成され、それによってアンカーテンドン１の引き抜き方向の抵抗が増大して、該アンカーテンドン１を抜け止め係止する構成である。他の構成は前記図１〜図３の実施形態と同様であり、同様の作用効果が得られる。
【００４３】
また、アンカーテンドン１の緊張状態を解除するためのジャッキ装置５は、図示例のような構成のものに限らず、各種構成のものが使用可能であり、特に図示例は連結ヘッド６としてセンターヘッド６１とリングヘッド６２との間に除荷用くさび７を介してアンカーテンドン１を狭持するようにしたが、センターヘッド６１とリングヘッド６２との間にアンカーテンドン１を直接狭持するようにしてもよく、またジャッキ装置５は油圧シリンダ等の流体圧を用いるものや、回転するねじ棒等を用いる機械的な構成のもの等その他適宜である。さらに上記のようなジャッキ装置５の代わりにテンドン余長部１ａを把持する適宜構成のクランプ等の把持手段と、その把持手段を上下動する適宜構成の昇降手段を用いるようにしてもよい。
【産業上の利用可能性】
【００４４】
以上のように本発明によるグラウンドアンカー定着頭部構造および緊張解除方法は、前記の構成であるから、例えばメンテナンスや補修等を行うためにアンカーテンドンの緊張状態を解除する際には、リングヘッドと支圧板との間に介在させた間隔保持部材を引き抜き除去するだけで上記の緊張状態を容易に解除することができるので、この種のグラウンドアンカー頭部のメンテナンスや補修等を容易・迅速に行うことが可能となり、グラウンドアンカーの設計の自由度や産業上の利用可能性を高めることができる。
【図面の簡単な説明】
【００４５】
【図１】（ａ）は本発明によるグラウンドアンカー定着頭部構造の一実施形態を示す平面図、（ｂ）は正面図。
【図２】（ａ）は上記実施形態の縦断面図、（ｂ）は（ａ）におけるｂ−ｂ断面図。
【図３】上記実施形態で用いた定着くさびとアンカーヘッド及び支圧板の分解斜視図。
【図４】（ａ）はジャッキ装置の一例を示す縦断正面図、（ｂ）はその一部の側面図。
【図５】上記ジャッキ装置でグラウンドアンカーの緊張状態を解除する場合の説明図。
【図６】上記ジャッキ装置でグラウンドアンカーの緊張状態を解除する場合の説明図。
【図７】連結ヘッドの変更例を示す分解斜視図。
【図８】上記連結ヘッドを用いてグラウンドアンカーの緊張状態を解除する場合の説明図。
【図９】（ａ）は本発明によるグラウンドアンカー定着頭部構造の変更例を示す縦断正面図、（ｂ）は（ａ）においてｂ−ｂ線から見たアンカーヘッドの底面図。
【図１０】上記変更例でグラウンドアンカーの緊張状態を解除する場合の説明図。
【図１１】（ａ）は本発明によるグラウンドアンカー定着頭部構造の他の実施形態を示す平面図、（ｂ）は正面図。
【図１２】（ａ）は上記実施形態の縦断面図、（ｂ）は間隔保持部材を外方に引き抜き除去した状態の同上図。
【図１３】上記実施形態で用いた定着くさびとアンカーヘッドと支圧板の分解斜視図。
【符号の説明】
【００４６】
１  アンカーテンドン
２  アンカーヘッド
２１  センターヘッド
２１ａ  拡開部
２２  リングヘッド
２２ａ  嵌合孔
２３  間隔保持部材
２１ｂ、２２ｂ、２３ｂ  アンカー挿通孔
２１ｃ、２２ｃ  くさび係合孔
２１ｄ  突条
２２ｄ  凹溝条
２１ｅ  凹部
２１ｆ、２３ｆ  窓
３  支圧板
３ａ  アンカー挿通孔
４  定着くさび
４ａ  アンカー挿通孔
５  ジャッキ装置
５０  ジャッキ本体
５１  ジャッキチェア
５２  テンションバー
５３  連結部材
５４  筒体
６  連結ヘッド
６１  センターヘッド
６１ａ  拡開部
６２  リングヘッド
６２ａ  嵌合孔
６ｂ、６１ｃ、６２ｃ  くさび係合孔
７  除荷用くさび
８  押圧部材
９  係止ピン
【図１】
2009102928.tif 000003
【図２】
2009102928.tif 000004
【図３】
2009102928.tif 000005
【図４】
2009102928.tif 000006
【図５】
2009102928.tif 000007
【図６】
2009102928.tif 000008
【図７】
2009102928.tif 000009
【図８】
2009102928.tif 000010
【図９】
2009102928.tif 000011
【図１０】
2009102928.tif 000012
【図１１】
2009102928.tif 000013
【図１２】
2009102928.tif 000014
【図１３】
2009102928.tif 000015